(57)【要約】【課題】  使用場所に制限を受けることなく使用することができると共に効率良く締結作業及び弛緩作業を行うことができるスパナの提供。【解決手段】  略棒状を呈する把持部２、及び、該把持部２の一端に設けられ、工具掛けを有する締結部材に対して該工具掛けの側方から嵌脱可能な開口部７を有すると共に工具掛けを収容可能な収容部８を有する頭部３を含んで構成されるスパナ本体４と、一端付近が頭部３に対して回動可能に取付けられ、他端が収容部の内周面８ａから突出して工具掛けに当接可能である爪部５ａ，５ｂ，５ｃ，５ｄ、及び、該爪部５ａ，５ｂ，５ｃ，５ｄの夫々を収容部８の内周面８ａに沿う方向に回動させ、内周面８ａに対して同一方向に傾倒した傾倒位置から内周面８ａに対して起立した起立位置へ付勢する複数の付勢手段、を含んで構成される支持体６とを具備することを特徴とする。【選択図】  図１
2006224248.tif 000002
【特許請求の範囲】
【請求項１】
略棒状を呈する把持部、及び、該把持部の一端に設けられ、工具掛けを有する締結部材に対して該工具掛けの側方から嵌脱可能な開口部を有すると共に前記工具掛けを収容可能な収容部を有する頭部を含んで構成されるスパナ本体と、
一端付近が前記頭部に対して回動可能に取付けられ、他端が前記収容部の内周面から突出して前記工具掛けに当接可能である複数の爪部、及び、複数の該爪部の夫々を前記収容部の内周面に沿う方向に回動させ、前記内周面に対して同一方向に傾倒した傾倒位置から前記内周面に対して起立した起立位置へ付勢する複数の付勢手段、を含んで構成される支持体と
を具備することを特徴とするスパナ。
【請求項２】
前記爪部は、前記起立位置にある場合に前記工具掛けの側面に面接触する当接面を有することを特徴とする請求項１に記載のスパナ。
【請求項３】
前記収容部の内周面は、略円弧状に形成されていることを特徴とする請求項１又は請求項２に記載のスパナ。
【請求項４】
前記爪部は、
前記締結部材である六角ボルトの回動中心を中心とする円周に沿って６０°毎に前記頭部に対して取付けられ、
前記起立位置においては、前記締結部材の回動中心及び前記爪部の回動中心を通る直線に対して前記傾倒位置側に傾斜している
ことを特徴とする請求項１乃至請求項３のいずれか一つに記載のスパナ。
【発明の詳細な説明】
【技術分野】
【０００１】
本発明は、スパナに関するものであり、詳しくは、ボルトやナット等の締結部材を着脱するためのスパナに関するものである。
【背景技術】
【０００２】
従来、ボルトやナット等の締結部材の締結作業及び弛緩作業において使用される工具の一つとしてスパナが挙げられる。これは、締結部材が有する工具掛けに側方から嵌脱可能な頭部と、この頭部に取設される把持部とから構成されるものであり、工具掛けに側方から頭部を嵌合させて一方向に回動操作することにより、締結部材の締結作業及び弛緩作業を行うことができるものである。
【０００３】
この様なスパナの場合、スパナ全体が工具掛けと一体に回動するため、締結作業又は弛緩作業を行う際には、このスパナを所定回転毎に工具掛けから外して差し替え又はスライドさせる必要があり、作業効率が悪いという問題があった。
【０００４】
そして、このような問題を解決するものとして、ラチェット機構を備えるスパナが挙げられる。これは、工具掛けに上方から嵌合可能であると共にラチェット機構を備える環状の頭部と、この頭部に取設された把持部とから構成されるものであり、工具掛けに頭部を嵌合させて把持部を往復して回動操作することにより、締結部材の締結作業及び弛緩作業を行うことができるものである。
【０００５】
このようなラチェット機構を備えるスパナの場合、作業中に工具掛けから頭部を外すことなく継続して回動操作を行うことが可能になる。したがって、上述の問題を解消して効率良く作業を行うことができる。
【０００６】
上記従来技術は、一般的な事項であり、本出願人は、本出願時において、この従来技術を特定する文献を特に知見していない。
【発明の開示】
【発明が解決しようとする課題】
【０００７】
しかしながら、このラチェット機構を備えるスパナの場合、上述のように、工具掛けに上方から嵌合させるため、工具掛けの上方に空間が必要であった。そのため、工具掛けの周囲に他の部品が存在する装置内等ではこのラチェット機構を備えるスパナを使用できず、通常のスパナを利用せざるを得ない場合があった。
【０００８】
そこで、本発明は、上記実情に鑑みて、使用場所に制限を受けることなく使用することができると共に効率良く締結作業及び弛緩作業を行うことができるスパナの提供を課題とするものである。
【課題を解決するための手段】
【０００９】
上述した課題を解決するために本発明の採った手段は、
「略棒状を呈する把持部、及び、該把持部の一端に設けられ、工具掛けを有する締結部材に対して該工具掛けの側方から嵌脱可能な開口部を有すると共に前記工具掛けを収容可能な収容部を有する頭部を含んで構成されるスパナ本体と、
一端付近が前記頭部に対して回動可能に取付けられ、他端が前記収容部の内周面から突出して前記工具掛けに当接可能である複数の爪部、及び、複数の該爪部の夫々を前記収容部の内周面に沿う方向に回動させ、前記内周面に対して同一方向に傾倒した傾倒位置から前記内周面に対して起立した起立位置へ付勢する複数の付勢手段、を含んで構成される支持体と
を具備することを特徴とするスパナ」
である。
【００１０】
ここで、締結部材としては、ナット、ボルト、又はビス等のように、一方向（例えば時計回り）に回動させることによって、複数の部材同士を固定、又は、複数の部材間の位置合わせ等を行うものが挙げられる。
【００１１】
上記構成のスパナでは、スパナ本体の頭部には、締結部材が有する工具掛けに側方から嵌脱可能な開口部が形成されている。これにより、スパナ本体を工具掛けの側方から差し込むことによって工具掛けは収容部に収容されるため、工具掛けの上方に空間を必要としない。したがって、上記構成のスパナによれば、使用場所に制限を受けることなく使用することができる。
【００１２】
また、上記構成のスパナでは、収容部の内周面に沿う方向に回動する複数の爪部が頭部に対して設けられている。そして、これらの爪部は、夫々が付勢手段によって、同一方向に傾倒した傾倒位置から収容部の内周面に対して起立した起立位置へ付勢されている。これにより、複数の爪部は、通常は起立位置に付勢されており、傾倒位置側への力が加えられた場合には付勢手段の付勢力に抗して傾倒位置へ回動する。
【００１３】
よって、収容部に工具掛けを収容した状態で、爪部が起立位置に留まる方向にスパナ本体を回動させた場合、爪部が工具掛けの側面に係止することとなり、締結部材は支持体を介してスパナ本体と一体に回動する。一方、収容部に工具掛けを収容した状態で、爪部が傾倒位置へ回動する方向にスパナ本体を回動させた場合、爪部は工具掛けの係止を解除して傾倒位置へ回動するため、締結部材は回動しない。
【００１４】
このため、回動する方向に往復操作することによって、スパナを工具掛けに対して差し換えることなく締結部材の締結作業又は弛緩作業を継続して行うことが可能になる。したがって、上記構成のスパナによれば、効率良く締結作業及び弛緩作業を行うことができる。なお、付勢手段としては、特に限定するものではないが、バネやゴム等の弾性部材の弾性力、又は、磁石の磁力等により爪部を付勢するものが挙げられる。
【００１５】
また、上記構成のスパナでは、複数の爪部が工具掛けの側面に当接するため、支持体によって工具掛けに加えられる力は複数箇所に分散される。したがって、上記構成のスパナによれば、締結作業及び弛緩作業を行う際に工具掛けに与える負荷を分散させて工具掛けの劣化を防止することができる。
【００１６】
上述のスパナにおいて、
「前記爪部は、前記起立位置にある場合に前記工具掛けの側面に面接触する当接面を有することを特徴とするスパナ」
とすることもできる。
【００１７】
上記構成のスパナでは、爪部は工具掛けの側面に面接触する。これにより、工具掛けの側面への接触面積が大きく確保されることとなる。したがって、上記構成のスパナによれば、締結作業及び弛緩作業を行う際に、的確に締結部材を保持することができる。
【００１８】
上述のスパナにおいて、
「前記収容部の内周面は、略円弧状に形成されていることを特徴とする記載のスパナ」
とすることもできる。
【００１９】
上記構成のスパナでは、収容部の内周面が略円弧状を呈する。これにより、締結部材を収容部に収容して締結作業又は弛緩作業を行う際に、収容部の内周面に締結部材が引っ掛かることが軽減される。したがって、上記構成のスパナによれば、より効率良く締結作業及び弛緩作業を行うことができる。
【００２０】
上述のスパナにおいて
「前記爪部は、
前記締結部材である六角ボルトの回動中心を中心とする円周に沿って６０°毎に前記頭部に対して取付けられ、
前記起立位置においては、前記締結部材の回動中心及び前記爪部の回動中心を通る直線に対して前記傾倒位置側に傾斜している
ことを特徴とするスパナ」
とすることもできる。
【００２１】
上記構成のスパナでは、複数の爪部は、収容部に収容した締結部材の回動中心を中心とする円周に沿って６０°毎に設けられているため、締結部材が六角ボルトである場合には、夫々の爪部は工具掛けの側面を構成する六個の各面のうち、隣接する複数の各面に当接する。これにより、締結部材を回動させる際に、工具掛けを的確に保持することができる。
【００２２】
ところで、爪部の工具掛けとの当接位置が、締結部材の回動中心と爪部の回動中心とを通る直線に対して傾倒位置に相対する側である場合、収容部に工具掛けを収容した状態で、爪部を起立位置から傾倒位置へ回動させて工具掛けの係止を解除させることは困難である。このため、スパナ本体を爪部が傾倒位置へ回動する方向に回動させても爪部は工具掛けの係止を解除せず、締結部材は支持体を介してスパナ本体と一体に回動し、スパナの往復操作によって締結作業又は弛緩作業を行うことが困難となるおそれがある。
【００２３】
上記構成のスパナでは、起立位置の爪部は、収容部に収容した締結部材の回動中心と爪部の回動中心とを結ぶ直線に対して傾倒位置側に傾斜するよう設定される。これにより、爪部は前述の直線上を通過することなく起立位置と傾倒位置との間を回動することとなり、収容部に工具掛けを収容した状態でも円滑に爪部を起立位置から傾倒位置へ回動させて工具掛けの係止を解除させることが可能となる。したがって、上記構成のスパナによれば、往復操作を良好に行うことができる。
【発明の効果】
【００２４】
上述の通り、本発明によれば、スパナ本体の頭部に取付けた爪部を、傾倒位置と起立位置との範囲で回動可能とすることにより、スパナを回動方向に往復操作することで締結作業を行うことが可能となる。そして、スパナを反転させた状態で締結作業の場合と同様に回動方向に往復操作することによって弛緩作業を行うことが可能となるため、作業効率を向上させることができる。さらに、本発明によれば、スパナ本体の頭部に工具掛けを側方から嵌合可能な開口部を設けることによって、締結部材が有する工具掛けに側方から嵌合させることが可能となり、工具掛けの上方に空間を必要とすることなく使用することができるスパナとすることができる。
【発明を実施するための最良の形態】
【００２５】
以下、本発明の一実施形態であるスパナについて、図１乃至図４に基づいて詳細に説明する。なお、本実施形態では、締結部材が六角ボルトである場合について説明する。
【００２６】
主に図１に示すように、本実施形態のスパナ１は、締結部材に嵌合させてこの締結部材の締結又は弛緩を行うためのものであって、作業者（図示しない）が作業を行う際に把持する把持部２、及び、把持部２の一端に設けられ、締結部材の工具掛けに嵌合可能な頭部３を有するスパナ本体４と、このスパナ本体４の頭部３に対して回動可能に取付けられた爪部５ａ，５ｂ，５ｃ，５ｄを有する支持体６とから構成されている。なお、図２に示すように、爪部５ａ，５ｂ，５ｃ，５ｄは、頭部３を嵌合させた締結部材２０の回動中心を中心とする円周に沿って６０°（図２におけるθ）毎に配置されている。
【００２７】
次に、スパナ本体についてさらに詳しく説明する。図１に示すように、把持部２及び頭部３は一体的に形成されており、図２に示すように、頭部３には、締結部材２０の工具掛け２１を側方から挿脱可能な幅寸法を有する開口部７と、この開口部７に連通して内部に工具掛け２１を収容可能な収容部８とを備えている。これにより、スパナ本体４は、工具掛け２１を開口部７を介して側方から収容部８に収容することができる。さらに、収容部８の内周面８ａには、周方向に沿って溝８ｂが設けられている。
【００２８】
次に、支持体６を構成する爪部５ａ，５ｂ，５ｃ，５ｄについてさらに詳しく説明する。なお、爪部５ａ，５ｂ，５ｃ，５ｄは同一の構成をなすものであり、ここでは、爪部５ａの構成についての説明を行う。
【００２９】
図２及び図３に示すように、爪部５ａは、溝８ｂ内において溝８ｂの幅方向に架設された軸９ａに回動可能に軸支されている。これにより、爪部５ａは収容部８の内周面８ａに沿う方向に回動する。そして、爪部５ａは、その一端が収容部８の内周面８ａから突出して収容部８に収容した工具掛け２１と当接可能に構成されている。
【００３０】
さらに、爪部５ａの近傍には、爪部５ａを内周面８ａに対して傾倒した傾倒位置（図３（ｂ）参照）から内周面８ａに対して起立した起立位置（図３（ａ）参照）へ回動する方向（図３における時計回り）に付勢力を与えるように押しバネ１０ａが配置されている。これにより、爪部５ａは、傾倒位置から起立位置へ付勢される。
【００３１】
そして、爪部５ａの近傍における押しバネ１０ａと対向する側には突部１２ａが立設されている。これにより、押しバネ１０ａによって付勢される爪部５ａは起立位置に位置規制される。なお、図２に示すように、突部１２ａの立設位置は、起立位置の爪部５ａが、収容部８に収容した締結部材２０の回動中心２０ａと軸９ａとを通る直線に対して傾倒位置側に傾斜するように設定されている。ここで、押しバネ１０ａ及び突部１２ａは、本発明における付勢手段に相当する。
【００３２】
さらに、爪部５ａには、起立位置における工具掛け２１との当接部分に、収容部８に収容した工具掛け２１の側面に当接可能な当接面１３ａが形成されている。
【００３３】
次に、本実施形態のスパナ１の使用方法について説明する。
【００３４】
まず、図１又は図４に示すように、作業者は把持部２を把持して、頭部３を工具掛け２１に側方から嵌合させ、工具掛け２１を収容部８に収容する（図４（ａ）矢印参照）。すると、爪部５ａ，５ｂ，５ｃ，５ｄは起立位置において工具掛け２１の側面を構成する各面２１ａ，２１ｂ，２１ｃ，２１ｄにそれぞれ当接する。
【００３５】
上述のように、爪部５ａ，５ｂ，５ｃ，５ｄは、起立位置において工具掛け２１の側面に面接触する当接面１３ａ，１３ｂ，１３ｃ，１３ｄを有している（図２参照）。これにより、工具掛け２１を収容していない状態においても、起立位置に付勢された爪部５ａ，５ｂ，５ｃ，５ｄにおける当接面１３ａ，１３ｂ，１３ｃ，１３ｄは、夫々が各面２１ａ，２１ｂ，２１ｃ，２１ｄと略平行となる。このため、爪部５ａ，５ｂ，５ｃ，５ｄは、工具掛け２１を収容部８に収容する際に支障となることはなく、スパナ１は、工具掛け２１を円滑に収容部８に収容することができる。
【００３６】
次に、作業者は、スパナ１を時計回り（図４（ｂ）矢印参照）に適当な角度（本実施形態の場合６０°）回動させる。すると、爪部５ａ，５ｂ，５ｃ，５ｄには、軸９ａ，９ｂ，９ｃ，９ｄを回動中心として時計回りに力が加わることとなる。このとき、爪部５ａ，５ｂ，５ｃ，５ｄは、突部１２ａ，１２ｂ，１２ｃ，１２ｄ（図２参照）によって起立位置以上の時計回りの回動が規制され、夫々が各面２１ａ，２１ｂ，２１ｃ，２１ｄに係止する。その結果、スパナ１は支持体６が工具掛け２１を支持した状態で回動するため、締結部材２０はスパナ１と一体に時計回りに回動する。
【００３７】
このとき、上述のように、爪部５ａ，５ｂ，５ｃ，５ｄは、収容部８に収容した締結部材２０の回動中心２０ａを中心とする円周に沿って６０°毎に設けられているため、夫々の爪部は工具掛けの隣接する各面に当接する。そして、図２に示すように、起立位置における爪部５ａ，５ｂ，５ｃ，５ｄは、各面２１ａ，２１ｂ，２１ｃ，２１ｄに面接触する当接面１３ａ，１３ｂ，１３ｃ，１３ｄが形成されているため、各面２１ａ，２１ｂ，２１ｃ，２１ｄへの接触面積が大きく確保される。したがって、支持体６による支持状態を良好に保持することができる。
【００３８】
次に、作業者は、スパナ１を反時計回り（図４（ｃ）矢印参照）に回動させる。すると、爪部５ａ，５ｂ，５ｃ，５ｄには、夫々が各面２１ａ，２１ｂ，２１ｃ，２１ｄに当接した状態で、軸９ａ，９ｂ，９ｃ，９ｄを介して反時計回りへの力が加えられることとなり、夫々の爪部が傾倒位置に回動する。これにより、支持体６は工具掛け２１の係止を解除することとなり、締結部材２０は回動することなくスパナ１のみが回動する。そして、適当な角度（本実施形態の場合６０°）回動させると、爪部５ａ，５ｂ，５ｃ，５ｄは、押しばね１０ａ，１０ｂ，１０ｃ，１０ｄ（図２参照）に付勢されて起立位置に復帰し、工具掛け２１の各面２１ｂ，２１ｃ，２１ｄ，２１ｅにそれぞれ当接する。
【００３９】
このとき、上述のように、起立位置の爪部５ａ，５ｂ，５ｃ，５ｄは、収容部８に収容した締結部材２０の回動中心２０ａと軸９ａ，９ｂ，９ｃ，９ｄとを通る直線に対して傾倒位置側に傾斜するように設定されている（図２参照）。これにより、収容部８に工具掛け２１を収容した状態でも円滑に爪部５ａ，５ｂ，５ｃ，５ｄを起立位置から傾倒位置へ回動させて工具掛け２１の係止を解除させることが可能となる。
【００４０】
以上の一連の操作を一往復操作として、この往復操作を複数回繰り返すことによって締結部材２０の締結作業を行うことができる。
【００４１】
なお、締結部材２０の弛緩作業を行う際には、スパナ１の裏表を反転させて反時計回りの回動操作、及び、時計回りの回動操作の往復操作を上記と同様に行うことによって、締結部材２０を反時計回りに回動させ弛緩させることができる。
【００４２】
このように、スパナ１を使用して締結作業又は弛緩作業を行う場合には、スパナ１を工具掛け２１に対して差し換えることなく継続して回動させることが可能となる。したがって、効率良く締結作業又は弛緩作業を行うことができる。
【００４３】
さらに、スパナ本体４の頭部３に開口部７を設けることによって、工具掛け２１を側方から収容部８に収容することが可能となり、工具掛け２１の上方に空間を必要としない。したがって、使用場所に制限を受けることなく使用することができる。
【００４４】
以上、本発明に係る一例を説明したが、本発明はこれに限らず、本発明の要旨を逸脱しない範囲で、種々の変更が可能である。
【００４５】
すなわち、本実施形態のスパナ１では、支持体６は、爪部５ａ，５ｂ，５ｃ，５ｄをスパナ本体４に形成された溝８ｂ内に取付けたものを例示したがこれに限定されるものではない。例えば、爪部５ａ，５ｂ，５ｃ，５ｄを頭部３の表面に取付けたもの等であっても構わない。
【００４６】
また、本実施形態のスパナ１では、主に図３に示すように、爪部５ａ，５ｂ，５ｃ，５ｄを起立位置に付勢するものとしてコイル状の押しばね１０ａ，１０ｂ，１０ｃ，１０ｄを例示したがこれに限定されるものではない。例えば、板バネ又は皿バネ等その他のバネ、ゴム、又は磁石等を利用するものであっても構わない。
【図面の簡単な説明】
【００４７】
【図１】スパナの構成を示す斜視図である。
【図２】工具掛けを収容部に収容した状態のスパナの構成を示す断面図である。
【図３】支持体の要部における爪部が（ａ）起立位置及び（ｂ）傾倒位置にある状態の構成を示す断面図である。
【図４】スパナが（ａ）収容部に工具掛けを収容した状態、（ｂ）所定角度回動させた状態、及び、（ｃ）スパナのみを回動させた状態の構成を示す正面図である。
【符号の説明】
【００４８】
１  スパナ
２  把持部
３  頭部
４  スパナ本体
５ａ，５ｂ，５ｃ，５ｄ  爪部
６  支持体
７  開口部
８  収容部
８ａ  内周面
９ａ，９ｂ，９ｃ，９ｄ  軸
１０ａ，１０ｂ，１０ｃ，１０ｄ  押しバネ（付勢手段）
１２ａ，１２ｂ，１２ｃ，１２ｄ  突部（付勢手段）
１３ａ，１３ｂ，１３ｃ，１３ｄ  当接面
２０  締結部材
２０ａ  回動中心
２１  工具掛け
２１ａ，２１ｂ，２１ｃ，２１ｄ，２１ｅ  各面
【図１】
2006224248.tif 000003
【図２】
2006224248.tif 000004
【図３】
2006224248.tif 000005
【図４】
2006224248.tif 000006